(57)【要約】【目的】  ケース内にゴミが溜まると、回転機構に不具合が生じたりテープや目盛りがキズ付いたりして測定に影響が出ることも少なくない。また、ゴミを掃除するためにケースを開ける者もいて危険であった。従って、誰もが安全に且つ容易にケース内に溜まったゴミを清掃することができる巻尺を提供することを目的とする。【解決手段】  ケース１の側壁２に、開閉自在の蓋４を設けた開口３を形成し、また、底壁５に、開閉自在の蓋７を設けた開口６を形成して、開口３から水を流し入れ、あるいはエアーを吹き入れ、ケース１内に溜まったゴミを開口６から水と、あるいはエアーと共にケース１の外に排出する。これにより、定期的にまたは一日の作業が終了した後でも簡単にケース内のゴミを掃除することができる。【選択図】  図１
2005172514.tif 000002
【特許請求の範囲】
【請求項１】
ケース内に立設する軸に、テープを周囲に巻回する回転ドラムを軸支し、この回転ドラムにテープを巻き込み方向に付勢する付勢手段を備えた巻尺において、  少なくともケースの側壁と底壁に開口が形成され、且つそれらの開口に蓋体が開閉自在に設けられていることを特徴とする巻尺
【請求項２】
前記側壁の開口は少なくとも側壁の上方部位を含めて形成されていることを特徴とする請求項１の巻尺
【請求項３】
前記底壁の開口は少なくとも底壁の後壁側の部位を含めて形成されていることを特徴とする請求項１の巻尺
【請求項４】
前記開口に、少なくとも開口縁の２箇所を結ぶブリッジが架設されていることを特徴とする請求項１の巻尺
【請求項５】
前記側壁の開口が、側壁の中程から上側および／または下側のほぼ全域に及ぶ範囲のものであることを特徴とする請求項１の巻尺
【請求項６】
前記側壁の開口が側壁の中程から後壁側および／または前壁側のほぼ全域に及ぶ範囲のものであることを特徴とする請求項１の巻尺
【請求項７】
前記底壁の開口が底壁の中程から後壁側のほぼ全域に及ぶ範囲のものであることを特徴とする請求項１の巻尺
【請求項８】
前記底壁の開口が底壁のほぼ全域に及ぶ範囲のものであることを特徴とする請求項１の巻尺
【請求項９】
前記巻尺にテープの制動機構が設けられている時、テープ下面と接触するテープ支持部材が、底壁の開口に架設するブリッジに設けられていることを特徴とする請求項１の巻尺
【請求項１０】
前記側壁の蓋体は、ケース面とほぼ面一またはケース面より突出していることを特徴とする請求項１の巻尺
【請求項１１】
前記底壁の蓋体は、ケース面とほぼ面一またはケース面より後退していることを特徴とする請求項１の巻尺
【請求項１２】
前記側壁および／または底壁の開口に設けている蓋体が柔軟素材で形成されていることを特徴とする請求項１の巻尺
【請求項１３】
前記側壁および／または底壁の開口に設けている蓋体が、開口を塞ぐ蓋部とケースの任意の範囲を被う被覆部とから形成されていることを特徴とする請求項１の巻尺
【請求項１４】
前記蓋部が、蓋部と被覆部との境を支点として開閉することを特徴とする請求項１３の巻尺
【請求項１５】
前記側壁および／または底壁の開口に設けている蓋体が、蓋体の中間部を支点としてその両側または片側の部分が開閉することを特徴とする請求項１の巻尺
【請求項１６】
前記側壁および／または底壁の開口が同一壁面に複数形成され、且つその複数の開口を一つの蓋体で塞いでいることを特徴とする請求項１の巻尺
【請求項１７】
前記回転ドラムの少なくともテープ巻回部の側壁に通孔が形成されていることを特徴とする請求項１の巻尺
【請求項１８】
少なくともテープおよび付勢手段が防錆に有利な素材から形成されていることを特徴とする請求項１の巻尺
【発明の詳細な説明】
【技術分野】
【０００１】
本発明は、巻尺に関し、特にケース内を清掃することができる巻尺に関するものである。
【背景技術】
【０００２】
従来、巻尺はその名称が示す通り、ケース内に測定用のテープを何層にも巻いた状態で収納し、測定の際に必要な長さのテープを引き出して測定する。
テープの巻回およびその収納は、ケース内の軸に軸支された回転ドラムに巻回されて収納され、また、その回転ドラムはそれに内装するコイル状のバネによって常にテープの巻き取り方向に付勢されている。すなわち、引き出されたテープは自動的にケース内の回転ドラムに巻回収納される。
【０００３】
このように、巻尺は回転機構を有する測定機器であり、また、テープに表示されている目盛りはＪＩＳ規格に則って表示された極めて正確なものである。
従って、巻尺はゴミの侵入を非常に嫌うもので、特にテープ出入口からのゴミの侵入を可能な限り阻止しようと、その開口に備えるテープの衝撃緩衝装置の構造等を工夫してゴミの侵入を防止している。
【発明の開示】
【発明が解決しようとする課題】
【０００４】
しかし、テープの収納と共にゴミがケース内に侵入し、いつしかそのゴミがケースと回転ドラムとの隙間に入り込み回転機構に不具合が生じたり、また、溜まったゴミによってテープや目盛りがキズ付いたりすることもあって測定作業に多大な影響が出ることも少なくないのである。
そして、侵入したゴミをケースから取り出そうとしても、ケースがゴミの侵入を防ぐ構造となっているので、容易にゴミ取り出すことができないのである。
【０００５】
さらに、その侵入したゴミを取り出そうとして巻尺を分解する者もおり、巻尺の構造を熟知しない者が分解することによってテープ等が飛び出して思わぬケガをすることもある。
従って、本発明は上述した問題点に鑑みてなされたものであり、誰もが安全に且つ容易にケース内に溜まったゴミを清掃することができる巻尺を提供することを目的とするものである。
【課題を解決するための手段】
【０００６】
本発明の要旨とするところは、ケース内に立設する軸に、テープを周囲に巻回し且つそのテープを巻き込み方向に付勢する付勢手段が内装された回転ドラムを軸支する巻尺において、少なくともケースの側壁と底壁に開口が形成され、且つそれらの開口に蓋体が開閉自在に設けられていることを特徴とする巻尺である。
【０００７】
本発明の巻尺を詳しく説明すると、本巻尺は、ケース内に溜まったゴミを掃除できる巻尺であり、少なくともケースの側壁と底壁に開口を有する。
ケースとは、普通左右の半ケースが合わされてなる測定用のテープを収容する部材であり巻尺の本体でもある。そのケースは、樹脂素材あるいは金属素材から形成されており、ケース内の側壁に軸が立設され、その軸に目盛りが印刷された測定用のテープを周囲に巻回した回転ドラムが軸支されている。
【０００８】
その回転ドラムの内部にはテープを巻き取るためのコイル状のバネが設けられており、テープは巻き取り方向に付勢されている。そして、テープおよび付勢手段すなわちテープを巻き取るためのコイル状のバネが防錆に有利な素材で形成されている巻尺もあり、テープとコイルバネがステンレス等の素材で形成されていたり、また、鉄製のテープに樹脂等によるコーティングや被覆を行って防錆しているものもある。さらには、テープを繊維によって形成しているものもある。
【０００９】
そして、回転ドラムのテープを巻回する巻胴の両側に、テープの積層方向に形成されている側壁に通孔を形成してもよい。また、その巻胴の内方のテープ巻取用のコイルバネの収容部に蓋体が設けられているものは、その蓋体に通孔を形成してもよい。
側壁また蓋体に形成する通孔の形状や数も特に限定するものではないが、回転ドラムの強度が低下しない範囲でなるべく多く形成するのがよい。
【００１０】
テープは、ケースの下方に設けられているテープ出入口から出入りしており、また、テープの巻き取り終了の際にはテープ先端に有する係止片がテープ出入口に係止することにより、テープのケース内への引き込まれが阻止される。
そして、テープ出入口には係止片の衝突エネルギーを緩和（吸収作用も含む）する衝撃緩衝部材が設けられているのが普通である。
【００１１】
そのテープ出入口が設けられている壁がケースの前壁であり、前壁はテープ出入口から上方に立ち上がってケースの頂部に至る。その頂部を境に立ち下がる壁がケースの後壁となり、後壁の下方部と前壁の下方部を結ぶ壁がケースの底壁である。そして、各壁の同一側を結ぶ壁がケースの側壁である。さらに、ケースによっては前壁の上方部と後壁の上方部を結ぶ略水平の天壁を有するケースもある。
【００１２】
ケースの側壁に形成する開口は、側壁の適宜の部位に形成すればよく、その大きさや形状また形成する数等も特に限定するものではないが、具体的には、側壁の上方部位に形成して、側壁の中程から上側のほぼ全域に及ぶ範囲を開口としてもよい。そして、側壁の中程を含めていれば開口は側壁の中程から下側に形成してもよい。他にも、側壁の中程から後壁側および／または前壁側のほぼ全域に及ぶ範囲に形成してもよい。また、開口はケース両側の側壁に設けてもよい。
【００１３】
ケースの底壁に形成する開口は底壁の適宜の部位に形成すればよく、その大きさや形状また形成する数等も特に限定するものではないが、底壁の後壁側の部位を含めて形成するのがよい。勿論、底壁のほぼ中程から前壁側やケースの後壁側にそれぞれ形成したり、また、前壁側やケースの後壁側そしてその中間部位のそれぞれに形成してもよい。そして、底壁に開口を形成する際は、角部に近接する部位に形成するのが望ましい。
そして、開口の大きさによっては、少なくとも開口縁の２箇所を結ぶブリッジを横架してもよい。すなわち、開口に設ける蓋体の素材（柔軟材／硬質材）によっては、蓋体のケース内への押し込まれをブリッジで防止する。また、ブリッジはケースの補強として、蓋体の素材に関係なく設けてもよい。
【００１４】
また、巻尺に、引き出したテープを停止させるテープの制動機構を設けているものもあり、その制動機構は、ケースの前壁に設けられた先端にブレーキシューを備えるブレーキアームとテープの下面に近接して設けられたテープ支持部材とからなっており、制動の際は、ケース前壁のブレーキレバーを下方に下げることによってブレーキシューがテープ上面を下方に押すと共に、テープ支持部材が押されたテープの下面と接触して支持するものである。
そして、底壁の開口が、その制動支持部材の設置部位に及ぶ場合は、開口にブリッジを架設すると共にそのブリッジにテープ支持部材を設けるようにしてもよい。勿論、テープ支持部材の設置部位を避けて開口を形成してもよい。
【００１５】
側壁と底壁の開口に設けている蓋体は、開口を開閉できるものであればどのようなものでもよく、形状や開閉方法等も特に限定するものではないが、開口を開いた際に蓋体が脱落しないようにしておくのがよい。具体的には、紐等で蓋体とケースとを連結したり、また、蓋体が開閉できるように蓋体とケースとを直接的にまたは間接的に連結すればよい。蓋体は、単体また複数の部材から構成してもよい。蓋体の素材も特に限定するものではなく、ケースと同様な硬質素材で形成したり、樹脂等の柔軟性を有する素材で形成してもよい。エラストマ等である。
【００１６】
蓋体は、開口を塞ぐために開口だけに装着するものであってもよいが、蓋体を開口を塞ぐための蓋部とケースの任意の範囲を被うための被覆部とから形成してもよい。すなわち、蓋体の一部でケースの任意の範囲を被覆する。その蓋部は、蓋部と被覆部との境を支点として開閉できるようにしてもよく、この形態に適する蓋体の素材としては樹脂等の柔軟性を有する素材を用いるのがよい。そして、蓋部と被覆部とを一体的に、且つ蓋部と被覆部との境は蓋部が折曲できるように成型するのがよい。さらには、同一壁面に複数の開口が形成されている場合、それぞれの開口に蓋体を設けてもよいが、複数の開口を一つの蓋体で塞ぐようにしてもよい。
【００１７】
また、蓋体は任意の方向の中間部が中折れできるようにしてもよい。すなわち、蓋体の任意の方向の中間部を支点として、その両側または片側の部分が開閉できる構造にしてもよい。この形態は、特に底壁のほぼ全域の範囲に設けた開口に装着する蓋体に適するが、勿論、側壁に設けた開口に装着する蓋体に用いてもよい。
そして、側壁の蓋体は、蓋体の外向面をケース面とほぼ面一またはケース面より突出させるのがよい。また、底壁の蓋体は、その蓋体の外向面をケース面とほぼ面一またはケース面より後退させるのがよい。蓋体の開閉方向は、ゴミの掃除に用いるアイテムすなわち水あるいはエアーによってその開閉方向を、ケースの内方にまたは外方に開くかを決めればよい。
【００１８】
従って、本発明の巻尺は以上のような構造であるので、ケースの側壁と底壁に形成する開口の蓋体を開けて、水やエアーによってケース内に溜まっているゴミをケースの外に排出することができる。
水の場合は、側壁または底壁の開口から水を勢いよくケース内に流し入れる。これにより、側壁の開口から底壁の開口に向かって、または、底壁の開口から側壁の開口に向かって水が流れ、その水の流れによってケース内に溜まっているゴミが水と共にケースの外に排出される。
【００１９】
また、側壁の開口または底壁の開口を開けて、ケース内に水を注入しながらケースを適当にシェイクし、次に、まだ開けていない開口の蓋を開けて、側壁または底壁の開口から水を勢いよくケース内に流し入れる。これにより、シェイクによって剥がし落とされたゴミが、水と共に底壁または側壁の開口からケースの外に排出される。
【００２０】
エアーの場合は、側壁または底壁の開口からエアーを勢いよくケース内に吹き入れる。これにより、側壁の開口から底壁の開口に向かって、または、底壁の開口から側壁の開口に向かってエアーが流れ、そのエアーの流れによってケース内に溜まっているゴミがエアーと共にケースの外に排出される。
さらには、水の流れまたエアーの流れはテープの出入口の開口にも向い、その際、テープ出入口に設けられている衝撃緩衝装置に付着するゴミも剥がして、そのゴミは水またはエアーと共にケースの外に排出される。
そして、回転ドラムのテープの巻胴またコイルバネの収容部の蓋体に通孔を形成するものは、テープまたコイルバネの水切れが促進される。
【発明の効果】
【００２１】
本発明の巻尺は、以上のように構成されているので、水またはエアーによってケース内に溜まっているゴミを誰もが安全に且つ容易に清掃することができる。
従って、定期的にあるいは一日の作業が終了した後でも簡単にケース内のゴミの掃除を行うことができることから、特に、塵埃が多く舞う土木現場で使用される巻尺の寿命が飛躍的に延び、これによって巻尺の買い替えサイクルも延長されて買い替えのための出費を低減できる。そして、製品の廃棄数も減少することから環境にも優しい製品となる。
【発明を実施するための最良の形態】
【００２２】
本発明の巻尺を以下図面に従って説明すると、図１は、本発明に係る巻尺を示す斜視図であり、１は巻尺のケース、２はケース１の側壁、３は側壁２に形成された開口、４は開口３に設けている蓋、４１は蓋４を開く際のツマミである。
５はケース１の底壁、６は底壁５に形成された開口、７は開口６に設けている蓋、７１は蓋７を開く際のツマミである。また、本図では開口３／６から見える回転ドラム等の内装部材は図示していない。
８はケース１の前壁、８１はテープ出入口、９はテープ、９１は係止片、１０は引き出したテープ９を任意の位置で停止させるためのブレーキレバーである。
【００２３】
図２から図７までは、側壁の開口および蓋の形態の一例を示す図である。図２は、側壁２の開口３を側壁２の中程から上側のほぼ全域に及ぶ範囲に形成し、その開口３に蓋４を設けているものである。また、開口３には補強としてブリッジ３１を設けている。左図は巻尺の側面図、右図は巻尺の後面図である。
【００２４】
図３は、側壁２の開口３を側壁２の中程から後壁１４側のほぼ全域に及ぶ範囲に形成し、その開口３に蓋４を設けているものである。また、開口３には補強としてブリッジ３１を設けている。左図は巻尺の側面図、右図は巻尺の平面図である。
【００２５】
図４は、側壁２の開口３を側壁２の中程から前壁８側のほぼ全域に及ぶ範囲に形成し、その開口３に蓋４を設けているものである。また、開口３には補強としてブリッジ３１を設けている。左図は巻尺の側面図、右図は巻尺の平面図である。
【００２６】
図５は、側壁２の開口３に設けている蓋４に、その下方に延設して被覆４２を設けているものである。すなわち、被覆４２は側壁２の保護部材となる。被覆４２は側壁２から突出させてその表面にディンプル状の滑り止め加工をしてもよい。また、開口３には補強としてブリッジ３１を設けている。左図は巻尺の側面図、右図は巻尺の後面図である。
【００２７】
図６は、側壁２の開口３を側壁２の中程から上側および下側のほぼ全域に及ぶ範囲の２箇所に形成し、その開口３に蓋４を設けているものである。図の蓋体４は、上側と下側を一体的に形成し、その中間部を支点として上側と下側が独立して開閉できるものである。また、それぞれの開口３には補強としてブリッジ３１を設けている。左図は巻尺の側面図、右図は巻尺の後面図である。
【００２８】
図７は、側壁２の開口３を側壁２の中程から後壁１４側および前壁側８のほぼ全域に及ぶ範囲の２箇所に形成し、その開口３に蓋４を設けているものである。図の蓋体４は、後壁１４側と前壁側８を別体で形成しているものである。また、それぞれの開口３には補強としてブリッジ３１を設けている。左図は巻尺の側面図、右図は巻尺の平面図である。
【００２９】
図８から図１０までは、側壁の開口および蓋の形態の一例を示す図である。図８は、底壁５の開口６に片開きの蓋７を設けているものである。また、開口６には補強としてブリッジ６１を設けている。左図は巻尺の底面図、右図は巻尺の側面図である。
【００３０】
図９は、底壁５の２箇所の開口６に片開きの蓋７をそれぞれ設けているものである。また、テープ９の出入口８１寄りの開口６には、テープ支持部材１３（図１２参照）が設けられたブリッジ６１を設けている。左図は巻尺の底面図、右図は巻尺の側面図である。
【００３１】
図１０は、底壁５の開口６を底壁５のほぼ全域に及ぶ範囲に形成し、その開口６に蓋７を設けているものである。図の蓋体６は、その中間部を支点として前側と後側が独立して開閉できるものである。また、開口６には補強としてブリッジ６１を設けていると共に、前側すなわちテープ９の出入口８１寄りのブリッジ６１には、テープ支持部材１３（図１２参照）を設けている。左図は巻尺の底面図、右図は巻尺の側面図である。
【００３２】
図１１は、ケース下方部内の透視図である。本実施例の巻尺のように引き出したテープ９を停止させるテープ９の制動機構を備える巻尺では、底壁５に形成される開口６が底壁５の前側すなわちテープ９の出入口８１寄りの範囲にまで及ぶ場合、開口６にブリッジ６１を架設してそのブリッジ６１にテープ支持部材１３を設ける。また、テープ支持部材１３の部位を避けて開口６を形成してもよい。
【００３３】
図１２は、側壁と底壁の開口の形態の一例を示す図である。左図は、底壁５の開口６の形態であり、底壁５に開口６を３箇所形成し、それらの開口６を一つの蓋７で塞ぐようにしたものである。右図は、側壁２の開口３の形態であり、側壁２に開口３を３箇所形成し、それらの開口３を一つの蓋４で塞ぐようにしたものである。
【００３４】
図１３は、回転ドラムの一例を示す一部切欠き側面図であり、１８は回転ドラム、１９はテープ９が巻回される巻胴、２０はテープ９の横ズレを防止するための側壁、２１はテープ９を巻き込み方向に付勢するためのコイルバネを収容するコイルバネ収容部、２２はコイルバネで、その内端が軸２４に係着されまた外端がテープ９の内端また巻胴１９に係着されている。２３はコイルバネ収容部２１の蓋、２４は回転ドラム１８を支持する軸、２５が側壁２０と蓋２３に形成する通孔である。
【００３５】
図１４は、水によるケース内の洗浄方法の一例を示す図であり、ケース１の側壁２の蓋４と底壁５の蓋７を開けて、側壁２の開口３から水１６を勢いよくケース１内に流し入れる。また、必要に応じてケースをシェイクする。
側壁２の開口３から入った水１６はケース１内のゴミを洗い流して底壁５の開口６からゴミと共に排出（排水１７）される。また、テープ出入口８１からも排出（排水１７）される。
【図面の簡単な説明】
【００３６】
【図１】本発明に係る巻尺を示す斜視図
【図２】側壁の開口および蓋の形態の一例を示す図
【図３】側壁の開口および蓋の形態の一例を示す図
【図４】側壁の開口および蓋の形態の一例を示す図
【図５】側壁の開口および蓋の形態の一例を示す図
【図６】側壁の開口および蓋の形態の一例を示す図
【図７】側壁の開口および蓋の形態の一例を示す図
【図８】底壁の開口および蓋の形態の一例を示す図
【図９】底壁の開口および蓋の形態の一例を示す図
【図１０】底壁の開口および蓋の形態の一例を示す図
【図１１】ケース下方部内の透視図
【図１２】側壁と底壁の開口の形態の一例を示す図
【図１３】回転ドラムの一例を示す一部切欠き側面図
【図１４】水によるケース内の洗浄方法の一例を示す図
【符号の説明】
【００３７】
１−ケース，２−側壁，３−開口，３１−ブリッジ，４−蓋，４１−ツマミ，４２−被覆，５−底壁，６−開口，６１−ブリッジ，７−蓋，７１−ツマミ，７２−ツマミ，８−前壁，８１−テープ出入口，９−テープ，９１−係止片，１０−ブレーキレバー，１１−ブレーキアーム，１２−シュー，１３−テープ支持部材，１４−後壁，１５−ホース，１６−水，１７−排水，１８−回転ドラム，１９−巻胴，２０−側壁，２１−コイルバネ収容部，２２−コイルバネ，２３−蓋，２４−軸，２５−通孔
【図１】
2005172514.tif 000003
【図２】
2005172514.tif 000004
【図３】
2005172514.tif 000005
【図４】
2005172514.tif 000006
【図５】
2005172514.tif 000007
【図６】
2005172514.tif 000008
【図７】
2005172514.tif 000009
【図８】
2005172514.tif 000010
【図９】
2005172514.tif 000011
【図１０】
2005172514.tif 000012
【図１１】
2005172514.tif 000013
【図１２】
2005172514.tif 000014
【図１３】
2005172514.tif 000015
【図１４】
2005172514.tif 000016